(57)【要約】【課題】盛り耕間に排水溝を明確かつ良好に形成できて、十分な乾土効果を得ることができるようにする。【解決手段】ロータリー耕耘部３の後方に、左右一対のゲージ輪６が設けられたロータリー作業機において、左右一対のゲージ輪６間に、圃場に排水溝を形成する転動輪３７が設けられている。また、ロータリー耕耘部３の後方に、左右方向の取付枠１６が上下揺動自在に支持され、取付枠１６の左右両側に、左右一対のゲージ輪６が装着されたロータリー作業機において、取付枠１６の左右一対のゲージ輪６間に、ロータリー耕耘部３で耕耘してなる盛り耕に排水溝を形成するように、転動輪が取り付られている。【選択図】　　　図１
2004041082.tif 000002
【特許請求の範囲】
【請求項１】
ロータリー耕耘部（３）の後方に、左右一対のゲージ輪（６）が設けられたロータリー作業機において、
左右一対のゲージ輪（６）間に、圃場に排水溝を形成する転動輪（３７）が設けられていることを特徴とするロータリー作業機。
【請求項２】
ロータリー耕耘部（３）の後方に、左右方向の取付枠（１６）が上下揺動自在に支持され、取付枠（１６）の左右両側に、左右一対のゲージ輪（６）が装着されたロータリー作業機において、
取付枠（１６）の左右一対のゲージ輪（６）間に、ロータリー耕耘部（３）で耕耘してなる盛り耕に排水溝を形成するように、転動輪（３７）が取り付られていることを特徴とするロータリー作業機。
【請求項３】
前記転動輪（３７）が、上下調整自在に設けられていることを特徴とする請求項１又は２に記載のロータリー作業機。
【請求項４】
前記転動輪（３７）が、取付枠（１６）に設けた培土機、防除機等のアタッチメント作業機のヒッチ（１９）を利用して着脱自在に取付られていることを特徴とする請求項２に記載のロータリー作業機。
【請求項５】
前記転動輪（３７）が、接地姿勢と、圃場から浮き上がった折り畳み姿勢とに姿勢変更自在に設けられていることを特徴とする請求項１又は２に記載のロータリー作業機。
【請求項６】
ロータリー耕耘部（３）で圃場を耕耘すると共に、その後方で、左右一対のゲージ輪（６）間に設けた転動輪（３７）を転動し、ロータリー耕耘部３で耕耘してなる盛り耕を形成することを特徴とするロータリー作業機による盛り耕形成方法。
【発明の詳細な説明】
【０００１】
【発明の属する技術分野】
本発明は、ロータリー作業機及びロータリー作業機による盛り耕形成方法に関するものである。
【０００２】
【従来の技術】
通常ロータリー作業機は、トラクタ等の走行車両の後部に装着されて使用するもので、耕耘爪を有するロータリー耕耘部を囲む機枠を備え、該機枠の上部に後方へ延設した取付枠を備え、該取付枠の後部左右両端に後ゲージ輪を備えているものがある。
ところで、作物の収穫から次の作物の植え付け等までの間に、ロータリー作業機により圃場を耕耘して、土壌中に孔げきを形成すると共に、複数の盛り耕を形成して、土壌を乾燥させることにより、土壌の通気性を改善して、乾土効果を得るようにしている。
【０００３】
しかし、従来では、乾土効果を得る目的で、耕耘して形成した盛り耕に、乾土効果を得る目的で、培土による排水用の溝付けをしたり、ロータリー作業機の耕耘部の耕耘爪の配列を変更することによって、複数の盛り耕を形成すると共に、盛り耕間に排水溝を形成していた。
しかし、培土機を使用する場合は、培土機が大きく後方に突出するため、耕耘作業が煩雑になると共に、培土機の抵抗が大きく盛り耕の形成作業が面倒になった。また、耕耘爪の配置変更による盛り耕の形成では、盛り耕間の排水溝の形成が、はっきりした溝になりにくく、このため排水性が悪くなり、十分な乾土効果を得ることができなくなることがあった。
【０００４】
【発明が解決しようとする課題】
本発明は上記問題点に鑑み、盛り耕間に排水溝を明確かつ良好に形成できて、十分な乾土効果を得ることができるようにしたものである。
【０００５】
【課題を解決するための手段】
この技術的課題を解決する本発明の技術手段は、ロータリー耕耘部３の後方に、左右一対のゲージ輪６が設けられたロータリー作業機において、
左右一対のゲージ輪６間に、圃場に排水溝を形成する転動輪３７が設けられている点にある。
本発明の他の技術手段は、ロータリー耕耘部３の後方に、左右方向の取付枠１６が上下揺動自在に支持され、取付枠１６の左右両側に、左右一対のゲージ輪６が装着されたロータリー作業機において、
取付枠１６の左右一対のゲージ輪６間に、ロータリー耕耘部３で耕耘してなる盛り耕に排水溝を形成するように、転動輪３７が取り付られている点にある。
【０００６】
本発明の他の技術手段は、前記転動輪３７が、上下調整自在に設けられている点にある。
本発明の他の技術手段は、前記転動輪３７が、取付枠１６に設けた培土機、防除機等のアタッチメント作業機のヒッチ１９を利用して着脱自在に取付られている点にある。
本発明の他の技術手段は、前記転動輪３７が、接地姿勢と、圃場から浮き上がった折り畳み姿勢とに姿勢変更自在に設けられている点にある。
【０００７】
本発明の他の技術手段は、ロータリー耕耘部３で圃場を耕耘すると共に、その後方で、左右一対のゲージ輪６間に設けた転動輪３７を転動し、ロータリー耕耘部３で耕耘してなる盛り耕を形成する点にある。
【０００８】
【発明の実施の形態】
以下、図面に基づいて本発明の実施の形態を説明する。
図１〜３において、１はトラクタ６５の後部に３点リンク６６を介して装着されるサイドドライブ型のロータリー作業機で、中央のギヤケース７から左右にサポートアーム８が突設されると共に、左側サポートアーム８の外側端に伝動ケース９を、右側サポートアーム８の外端にサイドフレーム１０を夫々固定して、背面視門型状の機枠２が構成されている。
【０００９】
伝動ケース９とサイドフレーム１０との下部間には爪軸１２が左右軸芯回り回転自在に架設されると共に、この爪軸１２上に爪取り付け用のブラケットを介して多数本の耕耘爪１３が取り付けられてロータリー耕耘部３が構成され、該ロータリー耕耘部３は耕耘カバー４によって覆われている。
前記爪軸１２には、トラクタ６５のＰＴＯ軸６７からギヤケース７に入力された回転動力が、ギヤケース７内のベベルギヤ伝動機構、サポートアーム８内の伝動軸、伝動ケース９内のチェーン伝動機構等を経て伝達されるようになっており、これによって爪軸１２が回転駆動される。
【００１０】
前記機枠２には、後方に延設された取付部材５を備えており、該取付部材５は、左右側枠１５の前端が左右サポートアーム８に左右方向の軸芯まわりに揺動自在に連結され、左右側枠１５の後端部に左右方向に延設した取付枠１６が固着され、該取付枠１６の左右端部に上下方向の軸芯を有する保持筒１７が設けられるとともに、該保持筒１７に左右一対の後ゲージ輪６が装着されている。左右側枠１５は、外筒１５ａと、この外筒１５ａに前後方向移動自在に挿入された後部の内筒１５ｂとを備えていて、前後方向に長さ調整可能とされている。なお、取付部材５は、高さ調整手段１８によって取付部材５の後部が上下調整可能とされている。
【００１１】
耕耘カバー４は、ロータリー耕耘部３の上方を覆う上部カバー４ａと、後方を覆う後部カバー４ｂとからなり、上部カバー４ａと後部カバー４ｂとに跨がる弾下装置１９が左右一対設けられている。
この弾下装置１９は、弾下ロッド２０を有し、この弾下ロッド２０の前端部は、サポートアーム８側に左右軸まわりに回動自在に枢着され、後部は、受け部材２１に軸芯方向移動自在に挿通され、止め輪によって抜け止めされる。また、弾下ロッド２０には、圧縮コイルバネ２２が套嵌され、このコイルバネ２２の後端はブラケット２５の受け部材２１に接当し、前端はストッパ２３に接当している。ストッパ２３は、操作体２７の回動操作によって、弾下ロッド２０に対して長手方向に位置が変更できるようになっている。
【００１２】
弾下装置１９は操作レバー３１を備え、操作レバー３１の回動操作によって、ブラケット２５に対して弾下ロッド２０を長手方向に位置調整自在にロックできるように構成され、弾下ロッド２０を位置調整することにより後部カバー４ｂを前端部を支点に上下方向に揺動調整するように構成されている。
取付部材５の取付枠１６の左右方向中央には、培土機、防除機等のアタッチメント作業機の連結用のヒッチ３３が設けられ、該ヒッチ３３は上下方向に貫通する挿通孔３４が形成されている。左右一対のゲージ輪６間に、圃場に排水溝を形成する転動輪３７が設けられ、転動輪３７は、ヒッチ３３を利用して取付部材５の取付枠１６に着脱自在に取付られている。
【００１３】
図４〜図６に示すように、ヒッチ３３の後面に保持筒３８が設けられ、この保持筒３８に転動輪３７が保持されている。保持筒３８は円筒状に形成され、保持筒３８の前面に取付台３９が前方突設されると共に、ねじ軸４０が後方突出されている。保持筒３８の上部と下部とに、左右方向に貫通した上下一対の取付孔５５が設けられている。
ねじ軸４０をヒッチ３３及び取付枠１６の取付孔４２，４３を介して後方突出状に挿通し、ねじ軸４０の後方突出部にナット４１を螺合して締め付けることにより、保持筒３８はヒッチ３３の後面に着脱自在に固定されている。保持筒３８の一端に固定片４４が突設され、ヒッチ３３の右端部の上下両側に、上下一対の固定片４５，４６が突設されている。
【００１４】
而して、保持筒３８をねじ軸４０廻りに回動して、保持筒３８の固定片４４をヒッチ３３の下側の固定片４５に重合させて、係止ピン４８により連通孔５１，５２を介して固定片４４，４５に挿通することによって、保持筒３８が、ヒッチ３３乃至取付枠１６に対して上下方向に位置決め固定されて、転動輪３７が図１に実線で示す如く接地姿勢に保持されるようになっている。
また、保持筒３８をねじ軸４０廻りに回動して、保持筒３８の固定片４４を、ヒッチ３３の上側の固定片４６に重合させ、係止ピン４８を連通孔５１，５３を介して固定片４４，４６に挿通することによって、保持筒３８が、左右方向を向くように位置決め固定されて、転動輪３７が図１に鎖線で示す如く折り畳み姿勢に保持されるようになっている。
【００１５】
従って、転動輪３７は、接地姿勢と圃場から浮き上がった折り畳み姿勢とに姿勢変更自在に設けられている。なお、図５において、５７は固定片４４と固定片４５又は固定片４６との間に介在したスペーサである。
転動輪３７は、左右のゲージ輪６よりも若干高位置に設定されている。転動輪３７は、円筒状の支持軸５８と、支持軸５８の下端に筒体５９を介して軸心廻りに回動自在に支持された支持部材６０と、支持部材６０に横軸廻りに回転自在に支持された輪体６１とを有している。支持軸５８は保持筒３８に摺動自在に挿通保持され、支持軸５８に取付孔６２が一定間隔をおいて設けられている。支持軸５８の取付孔６２と保持筒３８の取付孔５５とは対応しており、例えば、支持軸５８の上下に隣り合う支持孔６２の間隔は、保持筒３８の一対の取付孔５５の間隔の半分に設定されており、支持軸５８を保持筒３８に対して軸方向に摺動して、取付孔６２と取付孔５５とを合致させて、上下一対の取付ピン６３を取付孔６２と取付孔５５とに挿通することにより、転動輪３７を保持筒３８に対して上下調整自在に固定できるようになっている。
【００１６】
上記実施の形態によれば、ロータリー作業機１で２つの盛り耕Ａを形成して、乾土効果を得るようにする場合、図１に示すように、中央部側の耕耘爪１３を、耕耘した土壌を左右方向が外方側に跳ね上げるように配置すると共に、左右方向外方側の耕耘爪１３を、耕耘した土壌を左右方向内方側に跳ね上げるように配置して、２連の盛り耕Ａが形成し易くなるように、耕耘爪１３を配置しておき、また、操作レバー３１の回動操作により、ブラケット２５に対して弾下ロッド２０を長手方向に位置調整自在して、図２に実線で示すように後部カバー４ｂを上昇させておく。この状態で、ロータリー作業機１を駆動しながらロータリー作業機１をトラクタ６５によりけん引走行する。すると、ロータリー作業機１は、三点リンク機構と左右一対の後ゲージ輪６によって支えられて、ロータリー耕耘部３で圃場を耕耘し、耕耘爪１３による耕耘により、２連の盛り耕Ａが形成される。
【００１７】
このとき、ゲージ輪６間を転動輪３７が転動することにより、転動輪３７で圃場の土を踏み付けて、ロータリー耕耘部３で形成した盛り耕の左右方向中央部に転動跡による溝を形成すると共に、ゲージ輪６間に位置する転動輪３７が壁になって、左右方向の反対側の盛り耕Ａに崩れ落ちる土や反対側の盛り耕Ａにまで飛ぶ土を抑え、２連の盛り耕Ａの左右方向中央部に排水溝Ｂを確実かつ良好に形成する。
また、上下一対の取付ピン６３を抜いて、転動輪３７を保持筒３８に対して上下調整した後、再び上下一対の取付ピン６３を取付孔５５，６２を介して保持筒３８及び支持軸５８に挿通することによって、転動輪３７を簡単に上下調整することができ、非常に便利である。
【００１８】
ロータリー耕耘部３によって、圃場を通常通り耕耘する場合は、図に示すように、ナット４１を弛めて、転動輪３７を保持筒３８と共に、ヒッチ３３乃至取付枠１６に対してａ方向に回動して、ナット４１を締め付けると共に、係止ピン４８を固定片４４，４６に連通孔４４，４６を介して挿通することにより、転動輪３７を圃場から浮き上がった折り畳み姿勢にし、この状態でロータリー作業機１により耕耘すればよく、左右方向中央部に排水溝を有しない通常の耕耘した圃場を形成することができる。
【００１９】
また、ナット４１を取り外すことにより、保持筒３８及び転動輪３７を、ヒッチ３３から簡単に外すことができ、ヒッチ３３を利用して、転動輪３７に代えて培土機、防除機等のアタッチメント作業機を装着することができ、培土作業や防除作業を有効になし得る。
なお、前記実施の形態では、一対のゲージ輪６間に、１つの転動輪３７を設け、盛り耕Ａを２個設けるようにしているが、これに代え、一対のゲージ輪６間に、２個以上の転動輪３７を設け、排水溝を２個以上形成して、盛り耕Ａを３個以上形成するようにしてもよい。
【００２０】
【発明の効果】
本発明によれば、盛り耕間に排水溝を明確かつ良好に形成できて、十分な乾土効果を得ることができるようになる。
【図面の簡単な説明】
【図１】本発明の実施形態を示すロータリ作業機の背面図である。
【図２】同ロータリー作業機の側面図である。
【図３】同ロータリー作業機の一部の側面図である。
【図４】同転動輪の支持部分の背面図である。
【図５】図４のＡ−Ａ線断面図である。
【図６】図４のＢ−Ｂ線断面図である。
【符号の説明】
１　ロータリー作業機
２　機枠
３　ロータリー耕耘部
６　後ゲージ輪
１６　取付枠
３７　転動輪
【図１】
2004041082.tif 000003
【図２】
2004041082.tif 000004
【図３】
2004041082.tif 000005
【図４】
2004041082.tif 000006
【図５】
2004041082.tif 000007
【図６】
2004041082.tif 000008